(57)【要約】【課題】  同軸ケーブルにＧＨｚ単位の高周波信号を伝送する場合であっても、同軸ケーブルの特性インピーダンスを維持しＶＳＷＲを改善する。【解決手段】  芯線５１と電気的に接続されるコンタクト２と、シールド５３と電気的に接続されるシェル４と、コンタクト２を支持するとともに、コンタクト２とシェル４とを絶縁するハウジング３とを備えている。シールド５３から露出された絶縁体５２を含む芯線５１及び芯線５１に接続されたコンタクト２と、シェル４との静電容量は、静電容量調整板１１により同軸ケーブル５０の特性インピーダンスが所定の値になるように調整されている。【選択図】図２
2005038765.tif 000002
【特許請求の範囲】
【請求項１】
同軸ケーブルの内側導体と電気的に接続されるコンタクトと、
前記同軸ケーブルの外側導体と電気的に接続されるシェルと、
前記コンタクトを支持するとともに、前記コンタクトと前記シェルとを絶縁するハウジングとを備えており、
前記コンタクト及びこれに接続された前記内側導体の前記外側導体によって覆われていない部分が有するインダクタンスと、前記コンタクト及びこれに接続された前記内側導体の前記外側導体によって覆われていない部分と前記シェルとの間の静電容量との少なくともいずれかが、前記同軸ケーブルの特性インピーダンスが所定値になるように調整されていることを特徴とする同軸コネクタ。
【請求項２】
前記コンタクト及び前記シェルの少なくともいずれかに、前記コンタクト及びこれに接続された前記内側導体の前記外側導体によって覆われていない部分と前記シェルとの間の静電容量が前記同軸ケーブルの特性インピーダンスを前記所定値とするために必要な静電容量となるように調整された静電容量調整領域が形成されていることを特徴とする請求項１に記載の同軸コネクタ。
【請求項３】
前記静電容量調整領域が薄板に形成されていることを特徴とする請求項２に記載の同軸コネクタ。
【請求項４】
前記静電容量調整領域に対向する前記コンタクト又は前記シェルの少なくとも一部には、前記静電容量調整領域に対して平行となる領域が形成されていることを特徴とする請求項２又は３に記載の同軸コネクタ。
【請求項５】
前記静電容量調整領域が、前記同軸ケーブルの軸方向に沿うように形成されていることを特徴とする請求項２から４のいずれか１項に記載の同軸コネクタ。
【請求項６】
前記同軸ケーブルの軸方向に沿った前記静電容量調整領域の幅が、前記コンタクト及びこれに接続された前記内側導体の前記外側導体によって覆われていない部分と前記シェルとで確保されるべき静電容量に基づいて決定されていることを特徴とする請求項５に記載の同軸コネクタ。
【請求項７】
前記コンタクトが、前記同軸ケーブルの前記内側導体を把持するための内側把持部を有していることを特徴とする請求項１から６のいずれか１項に記載の同軸コネクタ。
【請求項８】
前記ハウジングが、前記コンタクトを把持するためのコンタクト把持部を有していることを特徴とする請求項１から７のいずれか１項に記載の同軸コネクタ。
【請求項９】
前記シェルが、前記同軸ケーブルの外皮を把持するための外皮把持部、前記同軸ケーブルの外側導体を把持するための外側把持部、及び前記ハウジングを把持するためのハウジング把持部の少なくともいずれかを有していることを特徴とする請求項１から８のいずれか１項に記載の同軸コネクタ。
【請求項１０】
前記コンタクトが一枚の金属板から形成されていることを特徴とする請求項１から９のいずれか１項に記載の同軸コネクタ。
【請求項１１】
前記シェルが一枚の金属板から形成されていることを特徴とする請求項１から１０のいずれか１項に記載の同軸コネクタ。
【請求項１２】
相手側コネクタが前記同軸ケーブルの軸方向に対して垂直方向に接続されることを特徴とする請求項１から１１のいずれか１項に記載の同軸コネクタ。
【発明の詳細な説明】
【技術分野】
【０００１】
本発明は、同軸ケーブルを接続するために使用される同軸コネクタに関する。
【背景技術】
【０００２】
同軸ケーブルを使用する場合には、同軸ケーブルの特性インピーダンスと接続先の特性インピーダンスとの整合性が問題となる。特性インピーダンスの整合性が取れていない場合には、同軸ケーブルの接続部において反射波が発生し、ＶＳＷＲ（Voltage Standing Wave Ratio）が悪くなる。そのため、接続先の装置に応じて適切な特性インピーダンスを有する同軸ケーブルが使用されている。このような同軸ケーブルに接続される同軸コネクタにおいては、形状を工夫することで小型化や低コスト化が図られている（例えば、特許文献１参照）。
【０００３】
【特許文献１】特開２００２−１６４１３２号公報（図１）
【発明の開示】
【発明が解決しようとする課題】
【０００４】
同軸コネクタを同軸ケーブルに接続するには、同軸ケーブルの芯線（内側導体）とシールド（外側導体）とを分離し、夫々をコネクタの所定の端子と電気的に接続する必要があるため、同軸ケーブルの芯線の一部がシールドから露出することになる。この状態で同軸ケーブルに数ＧＨｚの高周波信号が伝送されると特性インピーダンスの整合性が維持できず、ＶＳＷＲが悪くなる。つまり、同軸ケーブルの特性インピーダンスＺ0は、
【数１】
2005038765.tif 000003
Ｒ：同軸ケーブルの単位長さ当たりの抵抗[Ω／ｍ]
Ｇ：同軸ケーブルの単位長さ当たりのコンダクタンス[１／Ωｍ]
Ｌ：同軸ケーブルの単位長さ当たりのインダクタンス[Ｈ／ｍ]
Ｃ：同軸ケーブルの単位長さ当たりの静電容量［Ｆ／ｍ］
で表されるが、周波数fが高くなると抵抗ＲとコンダクタンスＧは無視してもよいので、インダクタンスＬと静電容量Ｃとの比により決定される。そして同軸ケーブルの芯線の一部がシールドから露出した場合には、インピーダンスＺ0にシールドから露出した芯線の誘導リアクタンスＸL1、
【数２】
2005038765.tif 000004
が付加される。露出した芯線のインダクタンスＬ１が非常に小さい値であるため、伝送する信号が数百ＭＨｚのときは、露出した芯線の誘導リアクタンスＸL1を無視することができる。しかしながら、伝送する信号がＧＨｚ単位になると、誘導リアクタンスＸL1の値も大きくなるため誘導リアクタンスＸL1を無視することができなくなる。この結果、同軸ケーブルの特性インピーダンスを維持することができずＶＳＷＲが悪くなる。
【０００５】
そこで、本発明は、同軸ケーブルにＧＨｚ単位の高周波信号を伝送する場合であっても、同軸ケーブルの特性インピーダンスを維持してＶＳＷＲを改善することができる周波数特性に優れた同軸コネクタを提供することを目的とする。
【課題を解決するための手段】
【０００６】
本発明の同軸コネクタは、同軸ケーブルの内側導体と電気的に接続されるコンタクトと、同軸ケーブルの外側導体と電気的に接続されるシェルと、コンタクトを支持するとともに、コンタクトとシェルとを絶縁するハウジングとを備えており、コンタクト及びこれに接続された内側導体の外側導体によって覆われていない部分が有するインダクタンスと、コンタクト及びこれに接続された内側導体の外側導体によって覆われていない部分とシェルとの間の静電容量との少なくともいずれかが、同軸ケーブルの特性インピーダンスが所定値になるように調整されている。
【０００７】
この発明によると、同軸ケーブルの特性インピーダンスが所定の値になるように調整されるため、同軸ケーブルにＧＨｚ単位の高周波信号を伝送する場合であっても、同軸ケーブルの特性インピーダンスを維持しＶＳＷＲを改善することができる。
【０００８】
本発明においては、コンタクト及びシェルの少なくともいずれかに、コンタクト及びこれに接続された内側導体の外側導体によって覆われていない部分とシェルとの間の静電容量が同軸ケーブルの特性インピーダンスを所定値とするために必要な静電容量となるように調整された静電容量調整領域が形成されていることが好ましい。この構成によると、同軸ケーブルに高周波信号が伝送された場合に、露出する内側導体及びコンタクトに発生する誘導リアクタンス成分を、静電容量調整領域により調整されたコンタクト及びこれに接続された内側導体の外側導体によって覆われていない部分とシェルとの間に発生する静電リアクタンス成分で相殺できる。これにより同軸ケーブルにＧＨｚ単位の高周波信号を伝送する場合であっても、同軸ケーブルの特性インピーダンスを維持しＶＳＷＲを改善することができる。
【０００９】
本発明においては、静電容量調整領域が薄板に形成されていることが好ましい。また、静電容量調整領域に対向するコンタクト又はシェルの少なくとも一部には、静電容量調整領域に対して平行となる領域が形成されていることが好ましい。この構成によると、静電容量調整領域とシェルとの間において、必要な静電容量を効率よく確保することができる。
【００１０】
本発明においては、静電容量調整領域が同軸ケーブルの軸方向に沿うように形成されることが好ましい。この構成によると、同軸コネクタの省スペース化を図ることができる。この場合、同軸ケーブルの軸方向に沿った静電容量調整領域の幅が、コンタクト及びこれに接続された内側導体の外側導体によって覆われていない部分とシェルとで確保されるべき静電容量に基づいて決定されていることが好ましい。この構成によると、異なる幅のコンタクトを用意することで特性インピーダンスの異なる複数の同軸ケーブルに対応することができる。
【００１１】
本発明において、コンタクトが同軸ケーブルの内側導体を把持するための内側把持部を有していることが好ましい。この構成によると、コンタクトと同軸ケーブルの内側導体とを確実に接続することができる。
【００１２】
本発明において、ハウジングがコンタクトを把持するためのコンタクト把持部を有していることが好ましい。この構成によると、ハウジングとコンタクトとを確実に接触させることができる。
【００１３】
本発明において、シェルが、同軸ケーブルの外皮を把持するための外皮把持部、同軸ケーブルの外側導体を把持するための外側把持部、及びハウジングを把持するためのハウジング把持部の少なくともいずれかを有していることが好ましい。この構成によると、同軸コネクタと同軸ケーブルとを確実に接続することができる。
【００１４】
本発明においては、コンタクトが一枚の金属板から形成されていてもよい。この構成によると、コンタクトを安価に製作することができるため、同軸コネクタの低コスト化を図ることができる。
【００１５】
本発明においては、シェルが一枚の金属板から形成されていてもよい。この構成によると、シェルを安価に製作することができるため、同軸コネクタの低コスト化を図ることができる。
【００１６】
本発明においては、相手側コネクタが前記同軸ケーブルの軸方向に対して垂直方向に接続されてもよい。この構成によると、同軸ケーブルからの応力を受けにくくすることができる。
【発明を実施するための最良の形態】
【００１７】
以下、本発明に係る最良の一実施の形態である同軸コネクタについて図面を参照しつつ説明する。
【００１８】
図１は、同軸ケーブル５０に接続された同軸コネクタ１の外観図ある。尚、図１（ａ）は同軸コネクタ１の上面図であり、図１（ｂ）は同軸コネクタ１の左側面図である。また、図中の矢印は同軸コネクタ１の相手側コネクタに対する接続方向を示している。図２は、同軸コネクタ１の断面構造を示す図である。尚、図２（ａ）は図１に示す同軸コネクタ１のIIA−IIA線の断面図であり、図２（ｂ）は図１に示す同軸コネクタ１のIIB−IIB線の断面図である。
【００１９】
図１及び図２に示すように、同軸コネクタ１は、コンタクト２と、ハウジング３と、シェル４とを備えている。また、同軸コネクタ１は後述するように下面側（図１（ｂ）下側）に相手側コネクタと接続される接続部６を備えている。つまり、同軸コネクタ１は、同軸ケーブル５０に接続された状態で、同軸ケーブル５０の軸方向に対して垂直方向に相手側コネクタと接続される。同軸ケーブル５０は、信号が伝送される芯線（内側導体）５１と、芯線５１の外周を覆っている絶縁体５２と、絶縁体５２の外周を覆っているシールド（外側導体）５３と、シールド５３の外周を覆っている外皮５４とを備えている。また、同軸ケーブル５０は、芯線５１、絶縁体５２、シールド５３を順に所定の長さに露出させた状態で同軸コネクタ１に接続される。
【００２０】
コンタクト２について図３を参照しつつ説明する。図３は、コンタクト２の外観図である。尚、図３（ａ）はコンタクト２の上面図であり、図３（ｂ）はコンタクト２の左側面図である。
【００２１】
コンタクト２は、同軸ケーブル５０の芯線５１及び同軸コネクタ１の相手側コネクタに対して電気的に接続される金属部材である。コンタクト２は、静電容量調整板（静電容量調整領域）１１と、芯線把持部（内側把持部）１２と、ピン係合部１３ａ、１３ｂとを備えている。
【００２２】
静電容量調整板１１は、シールド５３から露出された絶縁体５２を含む芯線５１及び芯線５１に接続されたコンタクト２とシェル４との静電容量を調整するための薄板であり、同軸ケーブル５０の先端側となるコンタクト２の正面側（図３（ａ）、図３（ｂ）左側）に形成されている。静電容量調整板１１の正面側端部は直線状に形成されており、反対側の端部は両側面部（図３（ａ）上下側）に切り込みが形成されている。静電容量調整板１１の形状は、同軸コネクタ１に接続される同軸ケーブル５０の特性インピーダンス（例えば５０Ω）が所定の値になるように決定された、シールド５３から露出された絶縁体５２を含む芯線５１及び芯線５１に接続されたコンタクト２とシェル４との静電容量に基づいて、所定の面積を有するように形成される。
【００２３】
前述のように、高周波における同軸ケーブル５０の特性インピーダンスＺ0は芯線５１のリアクタンスＬと芯線５１とシールド５３との静電容量Ｃとの関係で決定される（式（１）参照）。しかしながら同軸コネクタ１と同軸ケーブル５０とを接続するときには、シールド５３から絶縁体５２及び芯線５１の一部を露出させるため、シールド５３から露出された絶縁体５２を含む芯線５１の誘導リアクタンスＸLが新たに発生する。高周波信号を伝送させたときには、この誘導リアクタンスＸLが無視できないほど大きくなるため同軸ケーブル５０の特性インピーダンスＺ0が維持されない。そこでこの誘導リアクタンスＸLを容量リアクタンスＸCで相殺するため、シールド５３から露出された絶縁体５２を含む芯線５１及び芯線５１に接続されたコンタクト２とシェル４との静電容量を確保する。そして静電容量調整板１１の形状を変化させることでこの確保すべき静電容量の調整を行う。具体的には、静電容量調整板１１の同軸ケーブル５０の軸方向の長さを変化させることで静電容量の調整を行う。つまり、静電容量を大きくする場合には静電容量調整板１１の同軸ケーブル５０の軸方向の長さを長くし、静電容量を小さくする場合には静電容量調整板１１の同軸ケーブル５０の軸方向の長さを短くする。そして、使用される同軸ケーブル５０の特性インピーダンス（５０Ω、７０Ω）に応じて、例えば５０Ω用コンタクト或いは７０Ω用コンタクトというように、静電容量調整板１１の形状の異なるコンタクト２が予め複数準備されている。
【００２４】
芯線把持部１２は、コンタクト２と同軸ケーブル５０の芯線５１とを電気的に接続するためのものであり、コンタクト２の背面側（図３右側）の端部から上面側（図３（ｂ）上側）に垂直に延びるように形成されている略矩形状の折り曲げ部である。また、芯線把持部１２の中心部には切り欠き１６が形成されている。同軸コネクタ１と同軸ケーブル５０とが接続されるときには、同軸ケーブル５０の芯線５１が、芯線把持部１２の切り欠き１６に係合される。
【００２５】
ピン係合部１３ａ、１３ｂは、相手側コネクタのピンに係合するためのものであり、コンタクト２の左右両端部の中央付近から下面側（図３（ｂ）下側）に延びるように形成されている２つの略矩形状の折り曲げ部である。また、ピン係合部１３ａ、１３ｂは、接続部６の一部を構成するものである。ピン係合部１３ａ、１３ｂは、その先端部に向かうほど互いの距離が短くなるように、コンタクト２の内側に倒れこむように折り曲げられている。さらにピン係合部１３ａ、１３ｂの先端部はコンタクト２の外側に湾曲している。同軸コネクタ１と相手側コネクタとが接続されるときには、相手側コネクタのピンがピン係合部１３ａ、１３ｂの間に挿入されるとともに、折り曲げ応力により保持される。
【００２６】
このようにコンタクト２は予め形状加工された１枚の薄板形状の金属板を折り曲げ加工することにより形成可能となっている。また、コンタクト２の表面には導電性を高めるために金メッキが施されている。尚、コンタクト２に施されるメッキの種類はとくに限定されるものではなく、銀メッキなど他の金属によりメッキが施されてもよい。
【００２７】
次に、ハウジング３について図４を参照しつつ説明する。図４は、ハウジング３の外観図である。尚、図４（ａ）はハウジング３の上面図であり、図４（ｂ）はハウジング３の左側面図であり、図４（ｃ）はハウジング３の背面図である。尚、図４においては、後述する扉２８が開いた状態を示している。
【００２８】
ハウジング３は、同軸コネクタ１の組み立て状態において、コンタクト２を支持するとともに、コンタクト２とシェル４とを絶縁するため、コンタクト２とシェル４との間に配置される誘電体であり、下面側（図４（ｂ）下側）において、コンタクト２とシェル４とともに接続部６を構成するものである。ハウジング３は、コンタクト２を収容して把持する円柱状のコンタクト収容部（コンタクト把持部）２１と、同軸ケーブル５０が挿入される直方体状のケーブル挿入部２２とを備えている。コンタクト収容部２１は、コンタクト配置部２６と、係合部挿入孔２７と、扉２８と、ピン挿入穴２３（図２（ｂ）参照）とを備えている。また、コンタクト収容部２１は、円筒外周面における背面部においてケーブル挿入部２２の一端面と一体的に接合されている。
【００２９】
コンタクト配置穴２６は、コンタクト収容部２１の上面側（図４（ｂ）上側）中央部に形成された穴であり、コンタクト収容部２１にコンタクト２が収納されたときに、コンタクト２の静電容量調整板１１を含む平面部と係合するものである。
【００３０】
係合部挿入孔２７は、コンタクト配置穴２６の底面に形成された四角形状を有する孔である。係合部挿入孔２７は、上面側においてコンタクト配置穴２６と連通し、下面側においてピン挿入穴２３と連通している。コンタクト収容部２１にコンタクト２が収納されるときに、２つのピン係合部１３ａ、１３ｂが係合部挿入孔２７に挿入される。係合部挿入孔２７から挿入された２つの曲げ部１７ａ、１７ｂは、ピン挿入穴２３の側面に配置される。
【００３１】
扉２８は、コンタクト配置穴２６と後述するケーブル挿入溝２８を開閉するものである。扉２８の一端面（図４（ｂ）下側）はコンタクト収納部２１の上面左側に、且つ同軸ケーブル５０の軸方向に沿うように一体的に接続されており、この接続部分が折れ曲がることにより扉２８が開閉可能となっている。また、扉２８の他端面（図４（ｂ）上側）には、扉２８を閉じた状態で保持するためのロック機構が設けられている。
【００３２】
ピン挿入穴２３は、コンタクト収容部２１の下面側（図４（ｂ）下側）中央部に形成された穴であり、接続部６の一部を構成するものである。前述のようにコンタクト収容部２１にコンタクト２が収納されると、ピン挿入穴２３の両側面（図４（ａ）上下側）に、係合部挿入孔２７から挿入された２つのピン係合部１３ａ、１３ｂが配置される。この状態でピン挿入穴２３に同軸コネクタ１の相手側コネクタが備えるピンが挿入されて係合する。
【００３３】
次に、シェル４について図５を参照しつつ説明する。図５は、シェル４の外観図である。尚、図５（ａ）はシェル４の上面図であり、図５（ｂ）はシェル４の左側面図であり、図５（ｃ）はシェル４の正面図である。尚、図５では同軸コネクタ１の組み立て前におけるシェル４の状態を示している。また、図中の矢印は同軸コネクタ１の組み立て時における後述するハウジング係合部３１の動作方向を示している。
【００３４】
シェル４は、同軸ケーブル５０のシールド５３及び同軸コネクタ１の相手側コネクタに対して電気的に接続される金属部材である。シェル４は、ハウジング係合部３１と、コンタクト収容部把持部３２と、ケーブル挿入部把持部３３と、シールド把持部３４と、ケーブル把持部３５とを備えている。各部は直線状に隣接して配置されるように形成されている。
【００３５】
ハウジング係合部３１は、ハウジング３のコンタクト収容部２１と係合するとともに、同軸コネクタ１と相手側コネクタとの接続時において、相手側コネクタのハウジングと係合するものであり、接続部６の一部を構成するものである。ハウジング係合部３１は筒形状を有しており、この筒形状の孔にコンタクト収容部２１を挿入させることにより両者は係合する。ハウジング係合部３１は、シェル４の正面側端部（図５（ａ）、図５（ｂ）左側）の左右両側（図５（ａ）上下側）に形成された２つの薄板部を薄板部の互いの端部が対向するように夫々半円状に湾曲させることにより形成される。ハウジング係合部３１の正面側端部の径は絞り込まれており、相手側コネクタのハウジングと係合時の圧力が高められている。また、ハウジング係合部３１の正面側端部には２つの切り込み部が形成されており、相手側コネクタに対して挿抜するために、ハウジング係合部３１に撓みを生じさせる。ハウジング係合部３１の外周下側部には、略矩形状の薄板である絞り板３６ａ、３６ｂが形成されている。押さえ板３６ａ、３６ｂは、同軸コネクタ１の強度を上げるためのものであり、同軸コネクタ１の組み立て時において、ハウジング係合部３１の正面側端部を下面側に向くように配置させた後に、ケーブル挿入部２２とともに後述するケーブル挿入部把持部３３により把持される（図１参照）。
【００３６】
コンタクト収容部把持部３２は、同軸コネクタ１の組み立て状態において、ハウジング係合部３１とともにハウジング３のコンタクト収容部２１を把持するものである。コンタクト収容部把持部３２は、ハウジング係合部３１の背面側に隣接して配置されており、シェル４の左右両端部から下面側（図４（ｂ）下側）に延びるように形成されている２つの略矩形状の折り曲げ部を備えている。この２つの略矩形状の折り曲げ部をかしめることによりハウジング係合部３１とともにコンタクト収容部２１を把持する（図１参照）。また、コンタクト収容部把持部３２の上面部中央付近には下面側に向かって凸になる平面部が形成されている。この平面部は、同軸コネクタ１の組み立て状態においてハウジング３の扉２８に強く密接される。
【００３７】
ケーブル挿入部把持部３３は、同軸コネクタ１の組み立て状態において、ハウジング３のケーブル挿入部２２をハウジング係合部３１の押さえ板３６ａ、３６ｂとともに把持するものである。ケーブル挿入部把持部３３は、コンタクト収容部把持部３２の背面側に隣接して配置され、シェル４の左右両端部から下面側に延びるように形成されている２つの略矩形状の折り曲げ部を備えている。この折り曲げ部をかしめることによりケーブル挿入部２２を押さえ板３６ａ、３６ｂとともに把持する（図１参照）。
【００３８】
シールド把持部３４は、同軸コネクタ１と同軸ケーブル５１との接続時において、同軸ケーブル５１のシールド５３の露出部を把持するものである。シールド把持部３４は、ケーブル挿入部把持部３３の背面側に隣接して配置され、シェル４の左右両端部から下面側に延びるように形成されている２つのＵ字型形状を有する折り曲げ部を備えている。この折り曲げ部をかしめることによりシールド５３を把持する（図１参照）。
【００３９】
ケーブル把持部３５は、同軸コネクタ１と同軸ケーブル５１との接続時において、同軸ケーブル５１を把持するものである。ケーブル把持部３５は、シールド把持部３４の背面側に隣接して配置され、シェル４の左右両端部から下面側に延びるように形成されている２つのＵ字型形状を有する折り曲げ部を備えている。この折り曲げ部をかしめることにより同軸ケーブル５１を把持する（図１参照）。これら各把持部３２〜３５は、同軸コネクタ１の組み立て時において、コンタクト収容部把持部３２とハウジング係合部３１とが一体となっている箇所からハウジング係合部３１の方向（図中矢印の方向）に約９０度折り曲げられる。
【００４０】
このようにシェル４は予め形状加工された１枚の薄板形状の金属板を折り曲げ加工することにより形成可能となっている。また、シェル４の表面には導電性を高めるために金メッキが施されている。尚、シェル４に施されるメッキの種類はとくに限定されるものではなく、銀メッキなど他の金属によりメッキが施されてもよい。
【００４１】
次に、同軸コネクタ１の組み立て手順について図６を参照しつつ説明する。図６は同軸コネクタ１の組み立て手順について示した図である。尚、図中の矢印７１〜矢印７４は、組み立て時における各部品の移動方向を示している。
【００４２】
まず、同軸ケーブル５０を芯線５１、絶縁体５２、シールド５３を順に所定の長さに露出させる。そして、露出させた芯線５１を、例えば矢印７１の方向から、コンタクト２の芯線把持部１２の切り欠き１６に係合させる。これによりコンタクト２と同軸ケーブル５０とが接続される。
【００４３】
次に、同軸ケーブル５０と接続されたコンタクト２をハウジング３のコンタクト収納部２１に矢印７２の方向で収納する。このときコンタクト２がコンタクト収納部２１のコンタクト配置穴２６に係合するとともに、コンタクト２の２つのピン係合部１３ａ、１３ｂが係合部挿入孔２７に挿入されてピン挿入穴２３内に配置される。また、同軸ケーブル５０がハウジング３のケーブル挿入部２２に挿入される。そしてケーブル挿入部２２に挿入された同軸ケーブル５０がケーブル挿入部２２のケーブル挿入溝２９と係合される。この状態でハウジング３の扉２８を閉じる。扉２８を閉じることでコンタクト２及び露出している同軸ケーブル５０の芯線５１がハウジング３を構成している誘電体に覆われる。
【００４４】
次に、同軸ケーブル５０と接続されたハウジング３のコンタクト収容部２１を、シェル４のハウジング係合部３１の孔に矢印７３の方向で挿入して係合させる。このとき、コンタクト２の２つのピン係合部１３ａ、１３ｂと、ハウジング３のコンタクト収容部２１のピン挿入穴２３と、シェル４のハウジング係合部３１とで接続部６が構成される。
【００４５】
さらに、シェル４の各把持部３２〜３５を、コンタクト収容部把持部３２とハウジング係合部３１とが一体となっている箇所から接続部６を構成するハウジング係合部３１の方向（矢印７４の方向）に約９０度折り曲げる。このとき、ハウジング係合部３１がコンタクト収容部把持部３２に狭持されるとともに、ハウジング係合部３１の押さえ板３６ａ、３６ｂとハウジング３のケーブル挿入部２２とがケーブル挿入部把持部３３に狭持される。同時に、同軸ケーブル５０のシールド５３の露出部がシールド把持部３４に狭持されるとともに、同軸ケーブル５０がケーブル把持部３５に狭持される。これによりハウジング３がシェル４に覆われる。特に、コンタクト２の静電容量調整板１１とシェル４のコンタクト収容部把持部３２の平面部とが平行に配置されるとともに、ハウジング３の扉２８周辺を強く狭持する。
【００４６】
そして、コンタクト収容部把持部３２、ケーブル挿入部把持部３３、シールド把持部３４及びケーブル把持部３５がかしめられる。これによりコンタクト収容部把持部３２がハウジング係合部３１を把持し、ケーブル挿入部把持部３３が押さえ板３６ａ、３６ｂとケーブル挿入部２２とを把持し、シールド把持部３４がシールド５３を把持し、ケーブル把持部３５が同軸ケーブル５０を把持する。
【００４７】
以上の手順で組み立てられた同軸コネクタ１は、シールド５３から露出されている芯線５１に接続されたコンタクト２を誘電体であるハウジング３が覆い、さらにハウジング３をシールドに接続されたシェル４が覆っている。これによりコンタクト２及びこれに接続された芯線５１のシールド５３によって覆われていない部分とシェル４との間で所定の静電容量が確保されている。特にコンタクト２の静電容量調整板１１の上面には、ハウジング３の扉２８が平行に配置され、さらにその上面にはシェル４のコンタクト収容部把持部３２の平面部が隣接している。つまり平行に配置された静電容量調整板１１とコンタクト収容部把持部３２の平面部との間に扉２８が配置されており（図１参照）、コンタクト２及びこれに接続された芯線５１のシールド５３によって覆われていない部分とシェル４との間で所定の静電容量の多くが確保されている。
【００４８】
以上説明した一実施の形態によると、同軸ケーブル５０に高周波信号が伝送された場合に、シールド５３から露出した芯線５１及びコンタクト２に発生する誘導リアクタンス成分を、静電容量調整板１１で調整されたコンタクト２及びこれに接続された芯線５１のシールド５３によって覆われていない部分とシェル４との間に発生する静電リアクタンス成分で相殺できる。これにより同軸ケーブル５０にＧＨｚ単位の高周波信号を伝送する場合であっても、同軸ケーブル５０の特性インピーダンスを維持しＶＳＷＲを改善することができる。
【００４９】
また、コンタクト２の静電容量調整板１１とシェル４のコンタクト収容部把持部３２の平面部とが平行に配置されるとともに、ハウジング３の扉２８が狭持されているため、必要な静電容量を効率よく確保することができる。
【００５０】
さらに、静電容量調整板１１が、同軸ケーブル５０の芯線５１に沿うように形成されているため、同軸コネクタ１の省スペース化を図ることができる。
【００５１】
加えて、同軸ケーブル５０の特性インピーダンスに応じて静電容量調整板１１の形状の異なるコンタクト２が予め複数準備されているため、特性インピーダンスの異なる複数の同軸ケーブル５０に容易に対応することができる。
【００５２】
また、コンタクト２が芯線把持部１２を備えているため、コンタクト２と同軸ケーブル５０の芯線５１とを確実に接続することができる。また、ハウジング３がコンタクト収容部２１を有しているため、ハウジング３とコンタクト２とを確実に接触させることができる。さらに、シェル４がコンタクト収容部把持部３２、ケーブル挿入部把持部３３、シールド把持部３４及びケーブル把持部３５を備えているため、同軸コネクタ１と同軸ケーブル５０とを確実に接続することができる。
【００５３】
さらに、コンタクト２及びシェル４が一枚の金属板から形成されるため、同軸コネクタ１の低コスト化を図ることができる。
【００５４】
加えて、同軸コネクタ１は同軸ケーブル５０の軸方向に対して垂直方向に相手側コネクタと接続される接続部６を備えているため、同軸ケーブル５０からの応力を受けにくくすることができる。
【００５５】
以上、本発明の一実施の形態について説明したが、本発明は上述の実施の形態に限られるものではなく、特許請求の範囲に記載した限りにおいて、様々な設計変更が可能なものである。例えば、実施の形態では、シールド５３から露出された絶縁体５２を含む芯線５１及び芯線５１に接続されたコンタクト２とシェル４との静電容量を調整する構成であるが、このような構成に限定されるものではなく、コンタクト２及びこれに接続された芯線５１のシールド５３によって覆われていない部分のインダクタンスを調整する構成でもよいし、前述した静電容量及びインダクタンスの双方を調整する構成でもよい。
【００５６】
また、実施の形態では、静電容量調整板１１によりシールド５３から露出された絶縁体５２を含む芯線５１及び芯線５１に接続されたコンタクト２とシェル４との静電容量を調整する構成であるが、静電容量を調整できればこのような構成に限定されるものではない。例えば、ハウジング３の誘電体としての材質を変更することでコンタクト２及びこれに接続された芯線５１のシールド５３によって覆われていない部分とシェル４との静電容量を調整する構成でもよい。
【００５７】
さらに、実施の形態では、静電容量調整板１１がコンタクト２に形成される構成であるが、このような構成に限定されるものではなく、シェル４に形成される構成でもよい。
【００５８】
また、実施の形態では、静電容量調整板１１が薄板状に形成される構成であるが、コンタクト２とシェル４との間で必要な静電容量を確保することができればこのような構成に限定されるものではなく、例えば、直方体状に形成される構成でもよいし、筒状に形成される構成でもよい。
【００５９】
さらに、実施の形態では、静電容量調整板１１がシェル４のコンタクト収容部把持部３２の平面部と平行になるように配置される構成であるが、コンタクト２とシェル４との間で必要な静電容量を確保することができればこのような構成に限定されるものではなく、例えば静電容量調整板１１がシェル４の平面部に対して斜めになるように配置される構成でもよい。
【００６０】
加えて、実施の形態では、静電容量調整板１１が同軸ケーブル５０の軸方向に沿うように配置される構成であるが、このような構成に限定されるものではなく、静電容量調整板１１が同軸ケーブル５０の軸方向に対して垂直になるなど所定の角度で配置される構成でもよい。
【００６１】
また、実施の形態では、静電容量調整板１１の同軸ケーブル５０の軸方向の長さを変化させることで静電容量の調整を行う構成であるが、所望の表面積を確保することができればこのような構成に限定されるものではなく、例えば、静電容量調整板１１の同軸ケーブル５０の軸方向に対して垂直方向の長さを変化させることで静電容量の調整を行う構成でもよいし、静電容量調整板１１の平面形状そのものを変化させて静電容量の調整を行う構成でもよい。
【００６２】
また、コンタクト２は芯線把持部１２により同軸ケーブル５０の芯線５１を把持する構成であるが、このような構成に限定されるものではなく、芯線把持部１２を備えず、半田によりコンタクト２と芯線５１とを接続する構成でもよいし、他の把持機構を備えた部材により芯線把持部１２とともに把持される構成でもよい。
【００６３】
また、ハウジング３はコンタクト２をコンタクト収容部２１に収容して把持する構成であるが、このような構成に限定されるものではなく、薄板をかしめることでコンタクト２を把持してもよいし、コンタクト２を把持しない構成でもよい。コンタクト２を把持しない場合には、コンタクト２をハウジング３に接着剤で固定してもよいし、他の把持機構を備えた部材によりコンタクト２とともに把持される構成でもよい。
【００６４】
さらに、シェル４は、ハウジング係合部３１とコンタクト収容部把持部３２とケーブル挿入部把持部３３とによりハウジング３を把持し、シールド把持部３４とケーブル把持部３５とにより同軸ケーブル５０を把持する構成であるが、このような構成に限定されるものではなく、これらの把持部の一部を備える構成でもよいし、把持部を備えず他の把持機構を備えた部材によりハウジング３とともに把持される構成でもよい。
【００６５】
また、実施の形態では、コンタクト２とシェル４は１枚の金属板から形成される構成であるが、このような構成に限定されるものではなく、複数の金属板を組み合わせて形成されてもよい。
【００６６】
さらに、実施の形態では、同軸コネクタ１は同軸ケーブル５０の軸方向に対して垂直方向に相手側コネクタと接続される構成であるが、このような構成に限定されるものではなく、同軸ケーブル５０の軸方向に相手側コネクタと接続される構成でもよい。
【図面の簡単な説明】
【００６７】
【図１】本発明に係る一実施の形態である同軸コネクタの上面図及び側面図である。
【図２】図１に示す同軸コネクタの断面図である。
【図３】図１に示すコンタクトの外観図である。
【図４】図１に示すハウジングの外観図である。
【図５】図１に示すシェルの外観図である。
【図６】図１に示す同軸コネクタの組み立て手順について示した図である。
【符号の説明】
【００６８】
１              同軸コネクタ
２              コンタクト
３              ハウジング
４              シェル
６              接続部
１１              静電容量調整板
１２              芯線把持部
２１              コンタクト収納部
５０              同軸ケーブル
５１              芯線
５３              シールド
【図１】
2005038765.tif 000005
【図２】
2005038765.tif 000006
【図３】
2005038765.tif 000007
【図４】
2005038765.tif 000008
【図５】
2005038765.tif 000009
【図６】
2005038765.tif 000010